(57)【要約】【課題】  超望遠レンズを接合したカメラを固定する基盤と三脚とを一体的に連結して三脚の開脚姿勢を安定状態に保持し、撮影時にブレの全くない綺麗な画像を得ることができる望遠撮影におけるカメラブレ防止装置を提供する。【解決手段】  三脚２の雲台２ａに着脱自在に装着した矩形状基盤１に、該基盤１に対して水平固定姿勢と垂直回動姿勢とに変姿可能な固定支持台４と、基盤１の前壁側から吊架されて三脚２の左右前脚２ｂに固定位置調節自在に取り付けられる一対の連結支持杆８と、基盤１の長手方向に移動可能な一対の移動ブロック１９に支持腕２１をそれぞれ設け、この支持腕２１の上端部対向間に、望遠レンズ筒状部５ａを支承するＶ字状支承受座２３を前後回動自在に跨設してなる望遠レンズ５の載置固定部６でカメラブレ防止装置１０を構成した。【選択図】  図１
2004258633.tif 000002
【特許請求の範囲】
【請求項１】
三脚の雲台に着脱自在に装着される矩形状基盤と、三脚のうち、二脚を前脚とし一脚を後脚として開脚した撮影姿勢で、上記基盤の前壁左右端側から吊架されて三脚の左右前脚に固定位置調節自在に取り付けられる一対の連結支持杆と、上記矩形状基盤の前部側で、その長手方向に摺動自在かつ固定位置調節自在な望遠レンズの載置固定部と、上記基盤の後部側に設けたカメラの固定支持台とからなる望遠系撮影におけるカメラブレ防止装置であって、上記望遠レンズの載置固定部は、基盤の左右側壁にそれぞれ設けたレール部に沿って長手方向移動可能な一対の移動ブロックに、前後方向摺動可能かつ傾斜角度調節固定自在な支持腕をそれぞれ枢着し、当該各支持腕の上端部対向間に、望遠レンズ筒状部を下方から支承するＶ字状支承受座を前後回動自在に跨設して構成され、上記固定支持台は、基盤に対して水平固定姿勢と垂直回動姿勢とに変姿可能に設けられていることを特徴とする望遠系撮影におけるカメラブレ防止装置。
【請求項２】
三脚の雲台に着脱自在に装着される矩形状基盤と、三脚のうち、二脚を前脚とし一脚を後脚として開脚した撮影姿勢で、上記基盤の前壁左右端側から吊架されて三脚の左右前脚に取り付けられる一対のショックアブソーバからなる連結支持杆と、上記矩形状基盤の前部側で、その長手方向に摺動自在かつ固定位置調節自在な望遠レンズの載置固定部と、上記基盤の後部側に設けたカメラの固定支持台とからなる望遠系撮影におけるカメラブレ防止装置であって、上記望遠レンズの載置固定部は、基盤の左右側壁にそれぞれ設けたレール部に沿って長手方向移動可能な一対の移動ブロックに、前後方向摺動可能かつ傾斜角度調節固定自在な支持腕をそれぞれ枢着し、当該各支持腕の上端部対向間に、望遠レンズ筒状部を下方から支承する水平受座を水平状支持軸に嵌着して跨設し、かつ該支持軸の一端側に、固定支持台に支持されたカメラを水平姿勢から横向き姿勢に変姿させた際、望遠レンズ筒状部を下方から支承する杆状座枕の基端部を枢着して構成され、上記固定支持台は、基盤に対して水平固定姿勢と垂直回動姿勢とに変姿可能に設けられていることを特徴とする望遠系撮影におけるカメラブレ防止装置。
【請求項３】
三脚の雲台に着脱自在に装着される矩形状基盤と、三脚のうち、一脚を前脚とし二脚を後脚として開脚した撮影姿勢で、上記基盤の前壁中央位置から吊架されて三脚の前脚に取り付けられるショックアブソーバからなる連結支持杆と、上記矩形状基盤の前部側で、その長手方向に摺動自在かつ固定位置調節自在な望遠レンズの載置固定部と、上記基盤の後部側に設けたカメラの固定支持台とからなる望遠系撮影におけるカメラブレ防止装置であって、上記望遠レンズの載置固定部は、基盤の左右側壁にそれぞれ設けたレール部に沿って長手方向移動可能な一対の移動ブロックに、前後方向摺動可能かつ傾斜角度調節固定自在な支持腕をそれぞれ枢着し、当該各支持腕の上端部対向間に、望遠レンズ筒状部を下方から支承する水平受座を水平状支持軸に嵌着して跨設し、かつ該支持軸の一端側に、固定支持台に支持されたカメラを水平姿勢から横向き姿勢に変姿させた際、望遠レンズ筒状部を下方から支承する杆状座枕の基端部を枢着して構成され、上記固定支持台は、基盤に対して水平固定姿勢と垂直回動姿勢とに変姿可能に設けられていることを特徴とする望遠系撮影におけるカメラブレ防止装置。
【請求項４】
三脚の雲台に着脱自在に装着される矩形状基盤と、三脚のうち、二脚を側方前後に開脚し一脚を他側方に位置させた撮影姿勢で、上記基盤の前壁と後壁の中央位置から吊架されて三脚の前脚と後脚に取り付けられる一対のショックアブソーバからなる連結支持杆と、上記矩形状基盤の前部側で、その長手方向に摺動自在かつ固定位置調節自在な望遠レンズの載置固定部と、上記基盤の後部側に位置して上記基盤の中央部位に設けたカメラの固定支持台とからなる望遠系撮影におけるカメラブレ防止装置であって、上記望遠レンズの載置固定部は、基盤の前部側左右側壁にそれぞれ設けたレール部に沿って長手方向移動可能な一対の移動ブロックに、前後方向摺動可能かつ傾斜角度調節固定自在な支持腕をそれぞれ枢着し、当該各支持腕の上端部対向間に、望遠レンズ筒状部を下方から支承する水平受座を水平状支持軸に嵌着して跨設し、かつ該支持軸の一端側に、固定支持台に支持されたカメラを水平姿勢から横向き姿勢に変姿させた際、望遠レンズ筒状部を下方から支承する杆状座枕の基端部を枢着して構成され、上記カメラ本体の載置固定部は、基盤の後部側左右側壁にそれぞれ設けたレール部に沿って長手方向移動可能な一対の移動ブロックに、前後方向摺動可能でかつ傾斜角度調節固定自在な支持腕をそれぞれ枢着し、当該各支持腕の上端部対向間に、カメラ本体を下方から支承する水平支承受座を水平状支持軸に嵌着して跨設されていることを特徴とする望遠系撮影におけるカメラブレ防止装置。
【請求項５】
上記望遠レンズの載置固定部の各支持腕には、その長手方向に沿って長溝が穿設され、対向する支持腕の各長溝間に連結ボルトを各移動ブロックを貫通して挿通し、この連結ボルトの緊締、解除で、移動ブロックの前後方向の摺動固定位置と当該各支持腕の前後方向摺動位置および傾斜角度位置の固定、変更を行うように構成されていることを特徴とする請求項１、２、３または４記載の望遠系撮影におけるカメラブレ防止装置。
【請求項６】
上記カメラ本体の載置固定部の各支持腕には、その長手方向に沿って長溝が穿設され、対向する支持腕の各長溝間に連結ボルトを各移動ブロックを貫通して挿通し、この連結ボルトの緊締、解除で、移動ブロックの前後方向の摺動固定位置と当該各支持腕の前後方向摺動位置および傾斜角度位置の固定、変更を行うように構成されていることを特徴とする請求項４記載の望遠系撮影におけるカメラブレ防止装置。
【発明の詳細な説明】
【技術分野】
【０００１】
本発明は、望遠系撮影におけるカメラブレ防止装置に係り、詳しくは、超望遠レンズを接合したカメラを固定する基盤を三脚の雲台に装着し、該基盤と三脚とを連結支持杆を介して一体的に連結して、三脚を安定した開脚姿勢に保持することにより、撮影時には雲台の動きに追従してカメラの取付姿勢を超望遠レンズと一体となって上向き、下向き、横向き等、自由に選択できるものでありながら、雲台の可動範囲でブレ止めを図ることができ、ブレの全くない状態で被写体を的確に撮影できる望遠系撮影におけるカメラブレ防止装置に関するものである。
【背景技術】
【０００２】
カメラに望遠レンズを接合して撮影を行う写真愛好家、プロカメラマンは、当然のことながら三脚を使用して望遠撮影しているが、カメラブレのない綺麗な画像を得ることができないのが実状である。そこで、写真愛好家は、三脚を二基使用して一方の三脚でカメラを固定し、他方の三脚に望遠レンズの載置台を設け、カメラと望遠レンズを接合して撮影したり、あるいは三脚とスタンドを使用し、三脚に望遠レンズの載置台を設け、スタンドにカメラを固定し、カメラと望遠レンズを接合して撮影したりしているのが実状である。しかし、この様な撮影方法では、撮影時におけるカメラブレの防止ができても、高さや角度などフレーミングの微調整に手間がかかり、画角調整が容易にできず、望遠撮影の醍醐味を充分に満喫することができない欠点があった。
【特許文献１】示唆されるものなし
【０００３】
そこで、本出願人は従来の撮影方法の欠点を解消すべく、先般「望遠系撮影におけるカメラブレ防止装置」を特許出願した（特願２００２−１５５１７９）。この発明はカメラと望遠レンズとを接合した状態で、三脚の雲台に装備される基盤にカメラを固定し、かつ望遠レンズの筒状部を抱持状に固定する受座を設けると共に、該基盤と三脚とを一体的に連結して三脚の開脚姿勢を安定状態に保持するようにしたものであった。しかしながら、近年のカメラブームの中で焦点距離４００mmをカバーする超望遠レンズが出現し、これを使用した超望遠撮影を楽しむ写真愛好家やプロカメラマンの増加、殊に写真愛好家の中で初心者の増加により、この様な超望遠レンズを、初心者でもフレーミングの調整が簡単で、ブレの全くない状態で被写体を的確に撮影することができ、綺麗な画像を得ることができる望遠系撮影におけるカメラブレ防止装置が熱望されていた。
【発明の開示】
【発明が解決しようとする課題】
【０００４】
本発明は、上記の如き実状に鑑み、望遠系撮影におけるカメラのブレ防止性能の向上を追求する研究、開発の過程で創案されたものであって、その意図するところは、望遠レンズを備えたカメラを三脚の雲台に載置固定するにあたり、簡便な操作で簡単、確実にカメラと三脚を一体的に連結して、カメラブレの全くない状態で載置固定することができ、撮影時には画角調整を容易にして雲台の動きに追従してカメラの取付姿勢を自由に選択でき、撮影する際、綺麗な画像を得ることができるようにして、超望遠撮影を楽しむ写真愛好家やプロカメラマンの要望を充分に満たすことができるカメラブレ防止装置を提供することを課題とする。
【課題を解決するための手段】
【０００５】
課題を解決するため、本発明が採用した第１の技術手段は、三脚の雲台に着脱自在に装着される矩形状基盤と、三脚のうち、二脚を前脚とし一脚を後脚として開脚した撮影姿勢で、上記基盤の前壁左右端側から吊架されて三脚の左右前脚に固定位置調節自在に取り付けられる一対の連結支持杆と、上記矩形状基盤の前部側で、その長手方向に摺動自在かつ固定位置調節自在な望遠レンズの載置固定部と、上記基盤の後部側に設けたカメラの固定支持台とからなる望遠系撮影におけるカメラブレ防止装置であって、上記望遠レンズの載置固定部は、基盤の左右側壁にそれぞれ設けたレール部に沿って長手方向移動可能な一対の移動ブロックに、前後方向摺動可能かつ傾斜角度調節固定自在な支持腕をそれぞれ枢着し、当該各支持腕の上端部対向間に、望遠レンズ筒状部を下方から支承するＶ字状支承受座を前後回動自在に跨設して構成され、上記固定支持台は、基盤に対して水平固定姿勢と垂直回動姿勢とに変姿可能に設けられていることを特徴とするものである。
【０００６】
本発明が採用した第２の技術手段は、三脚の雲台に着脱自在に装着される矩形状基盤と、三脚のうち、二脚を前脚とし一脚を後脚として開脚した撮影姿勢で、上記基盤の前壁左右端側から吊架されて三脚の左右前脚に取り付けられる一対のショックアブソーバからなる連結支持杆と、上記矩形状基盤の前部側で、その長手方向に摺動自在かつ固定位置調節自在な望遠レンズの載置固定部と、上記基盤の後部側に設けたカメラの固定支持台とからなる望遠系撮影におけるカメラブレ防止装置であって、上記望遠レンズの載置固定部は、基盤の左右側壁にそれぞれ設けたレール部に沿って長手方向移動可能な一対の移動ブロックに、前後方向摺動可能かつ傾斜角度調節固定自在な支持腕をそれぞれ枢着し、当該各支持腕の上端部対向間に、望遠レンズ筒状部を下方から支承する水平受座を水平状支持軸に嵌着して跨設し、かつ該支持軸の一端側に、固定支持台に支持されたカメラを水平姿勢から横向き姿勢に変姿させた際、望遠レンズ筒状部を下方から支承する杆状座枕の基端部を枢着して構成され、上記固定支持台は、基盤に対して水平固定姿勢と垂直回動姿勢とに変姿可能に設けられていることを特徴とするものである。
【０００７】
本発明が採用した第３の技術手段は、三脚の雲台に着脱自在に装着される矩形状基盤と、三脚のうち、一脚を前脚とし二脚を後脚として開脚した撮影姿勢で、上記基盤の前壁中央位置から吊架されて三脚の前脚に取り付けられるショックアブソーバからなる連結支持杆と、上記矩形状基盤の前部側で、その長手方向に摺動自在かつ固定位置調節自在な望遠レンズの載置固定部と、上記基盤の後部側に設けたカメラの固定支持台とからなる望遠系撮影におけるカメラブレ防止装置であって、上記望遠レンズの載置固定部は、基盤の左右側壁にそれぞれ設けたレール部に沿って長手方向移動可能な一対の移動ブロックに、前後方向摺動可能かつ傾斜角度調節固定自在な支持腕をそれぞれ枢着し、当該各支持腕の上端部対向間に、望遠レンズ筒状部を下方から支承する水平受座を水平状支持軸に嵌着して跨設し、かつ該支持軸の一端側に、固定支持台に支持されたカメラを水平姿勢から横向き姿勢に変姿させた際、望遠レンズ筒状部を下方から支承する杆状座枕の基端部を枢着して構成され、上記固定支持台は、基盤に対して水平固定姿勢と垂直回動姿勢とに変姿可能に設けられていることを特徴とするものである。
【０００８】
本発明が採用した第４の技術手段は、三脚の雲台に着脱自在に装着される矩形状基盤と、三脚のうち、二脚を側方前後に開脚し一脚を他側方に位置させた撮影姿勢で、上記基盤の前壁と後壁の中央位置から吊架されて三脚の前脚と後脚に取り付けられる一対のショックアブソーバからなる連結支持杆と、上記矩形状基盤の前部側で、その長手方向に摺動自在かつ固定位置調節自在な望遠レンズの載置固定部と、上記基盤の後部側に位置して上記基盤の中央部位に設けたカメラの固定支持台とからなる望遠系撮影におけるカメラブレ防止装置であって、上記望遠レンズの載置固定部は、基盤の前部側左右側壁にそれぞれ設けたレール部に沿って長手方向移動可能な一対の移動ブロックに、前後方向摺動可能かつ傾斜角度調節固定自在な支持腕をそれぞれ枢着し、当該各支持腕の上端部対向間に、望遠レンズ筒状部を下方から支承する水平受座を水平状支持軸に嵌着して跨設し、かつ該支持軸の一端側に、固定支持台に支持されたカメラを水平姿勢から横向き姿勢に変姿させた際、望遠レンズ筒状部を下方から支承する杆状座枕の基端部を枢着して構成され、上記カメラ本体の載置固定部は、基盤の後部側左右側壁にそれぞれ設けたレール部に沿って長手方向移動可能な一対の移動ブロックに、前後方向摺動可能でかつ傾斜角度調節固定自在な支持腕をそれぞれ枢着し、当該各支持腕の上端部対向間に、カメラ本体を下方から支承する水平支承受座を水平状支持軸に嵌着して跨設されていることを特徴とするものである。
【０００９】
本発明が採用した第５の技術手段は、上記望遠レンズの載置固定部の各支持腕には、その長手方向に沿って長溝が穿設され、対向する支持腕の各長溝間に連結ボルトを各移動ブロックを貫通して挿通し、この連結ボルトの緊締、解除で、移動ブロックの前後方向の摺動固定位置と当該各支持腕の前後方向摺動位置および傾斜角度位置の固定、変更を行うように構成されていることを特徴とするものである。
【００１０】
本発明が採用した第６の技術手段は、上記カメラ本体の載置固定部の各支持腕には、その長手方向に沿って長溝が穿設され、対向する支持腕の各長溝間に連結ボルトを各移動ブロックを貫通して挿通し、この連結ボルトの緊締、解除で、移動ブロックの前後方向の摺動固定位置と当該各支持腕の前後方向摺動位置および傾斜角度位置の固定、変更を行うように構成されていることを特徴とするものである。
【発明の効果】
【００１１】
したがって、本発明によれば、カメラと望遠レンズを固定した基盤と三脚とを連結支持杆を介して一体的に連結したので、三脚を安定した開脚状態に保持することができると共に、撮影時には、雲台の動きに追従してカメラの取付姿勢を所望する上向き、下向き、横向き等に自由に選択して固定することができ、しかも雲台の可動範囲でブレ止めと画角調整も容易にできるので、レリーズを使用してシャッターを切った際、カメラブレの全くない綺麗な画像を得ることができる。
【実施例１】
【００１２】
本発明の実施の形態を添付図面に基づいて詳細に説明する。
図１において、１は三脚２の雲台２ａに着脱自在に装着される基盤であって、三脚２は二脚を前脚とし、一脚を後脚として開脚した撮影姿勢とし、該基盤１は平面視矩形状に形成されており、その後部側には、カメラ３を固定する固定支持台４が上下回動自在に設けられ、また上記基盤１の前部側には、その長手方向に摺動自在かつ固定位置調節自在な望遠レンズ５の載置固定部６が設けられていると共に、上記基盤１の前壁左右端側には、取付けブロック７を介して一対の連結支持杆８、８が吊架されており、当該各連結支持杆８、８の下端部に設けた緊締具９、９を、それぞれ三脚２の左右前脚２ｂ、２ｂに固定位置調節自在に取り付けることによりカメラブレ防止装置１０が構成されている。上記連結支持杆８、８は管状または杆状部材で形成されている。
【００１３】
上記固定支持台４は、図２および図３に示すように、その後部両側面に回動アーム４ａ、４ａを固定し、該回動アーム４ａ、４ａの基端側と基盤１の両側面との間に回動軸１１、１１を挿通して、基盤１に対して当該固定支持台４を水平固定姿勢Ａと垂直回動姿勢Ｂとに変姿可能としている。また、上記固定支持台４の一側面には係止ピン１２が突設されており、この係止ピン１２に臨む凹部１３ａを一体形成した回動係止杆１３の回動基端１３ｂを基盤１の一側面に枢支して、係止ピン１２と凹部１３ａとの係合で上記固定支持台４を水平固定姿勢Ａに固定し、かつその係合解除により同固定支持台４を垂直回動姿勢Ｂに変姿できるようになっている。１４は回動係止杆１３の回動を規制する規制ピン、１５は回動係止杆１３の操作ピン、１６は固定支持台４を貫通してカメラ３を同台４上に固定する取付ノブである。
【００１４】
また、上記望遠レンズの載置固定部６は、基盤１の左右側壁にそれぞれ設けた凹状の長溝１７、１７に沿うレール１８、１８を対向内面に一体形成して長手方向摺動可能にした一対の移動ブロック１９、１９に、長手方向に沿って長溝２０、２０を穿設した一対の支持腕２１、２１を、それぞれ各移動ブロック１９、１９の外側面に位置して当該移動ブロック１９、１９間を貫通するノブ付き連結ボルト２２により緊締し、かつ各支持腕２１、２１の上端部対向間に、望遠レンズ５の筒状部５ａを載置するＶ字状支承受座２３を支軸２３ａを介して前後回動自在に跨設して構成されており、上記ノブ付き連結ボルト２２の緊締を解除することにより、図４（ａ）（ｂ）に示すように、各移動ブロック１９、１９を前後方向の任意の位置に移動させることができ、またノブ付き連結ボルト２２に対し、各長溝２０、２０を介して支持腕２１、２１の前後方向の摺動位置と傾斜角度を変更することができるように構成されている
【００１５】
一方、上記基盤１の前部裏面の左右端には、逆凹型に形成した取付ブロック７が設けられており、これに吊持体２４、２４を介して一対の連結支持杆８、８をそれぞれ左右および前後方向回動自在に吊架すると共に、上記連結支持杆８、８の下端側は、吊持体２４、２４を介して緊締具９、９に連結されており、該緊締具９、９をそれぞれ左右前脚２ｂ、２ｂに固定位置調節自在に取り付けて基盤１の前部側を下方から支持するようになっている。
【００１６】
上記緊締具９、９は、固定分割筒片９ａと、コイル弾機を捲装した支持軸（図示省略）に軸支された可動分割筒片９ｂからなり、該支持軸に突設した撮具２５、２５を緊緩回動操作することにより、左右前脚２ｂ、２ｂへの取付固定位置を調節するように構成されている。
【００１７】
なお、１ａは基盤１に穿設した装着孔、２ｃは雲台２ａに設けた装着ネジ、２ｄは同雲台２ａの姿勢を前後左右に傾動する調節レバー、５ａは望遠レンズ５の筒状部である。
【００１８】
実施例１の本発明は叙上の如く構成されているから、いま、カメラ３に望遠レンズ５を接合して撮影するにあたっては、先ず三脚２の雲台に設けた装着ネジ２ｃに基盤１の装着孔１ａを螺合し、開脚した三脚２の雲台２ａ上に基盤１を装着する。次いで、基盤１の取付ブロック７に吊架した連結支持杆８、８の緊締具９、９を、開脚した三脚２の前脚２ｂ、２ｂにそれぞれ取り付けて、カメラ３の最適な撮影位置で緊締具９、９を固定する。
【００１９】
そして、ノブ付き連結ボルト２２を緩めた状態で、載置固定部６の移動ブロック１９、１９を、これからカメラ３に接合する望遠レンズ５の前後長に合わせて、長溝１７、１７に沿って前後方向に移動し、かつ支持腕２１、２１を図４（ａ）（ｂ）に示すように、前後および上下方向の任意の位置に揺動移動させて、望遠レンズ５とＶ字状支承受座２３に支承する筒状部５ａのセッティング位置が最適となるように微調整する。
【００２０】
一方、カメラ３の取り付けは、図３に示すように、回動係止杆１３を実線位置まで回動して固定支持台４の係止ピン１２と回動係止杆１３の凹部１３ａとの係合を解除し、上記固定支持台４を垂直回動姿勢Ｂに変姿させ、この状態で取付ノブ１６を介して固定支持台４にカメラ３を固定すれば良い。その後、再び固定支持台４を水平固定姿勢Ａまで復帰させて、固定支持台４の係止ピン１２と回動係止杆１３の凹部１３ａを係合させると、当該固定支持台４が基盤１上に固定されることになる。
【００２１】
然る後に望遠レンズ５をカメラ３に接合し、その状態で、望遠レンズ５と筒状部５ａのセッティングが最適の位置となるように、再度支持腕２１、２１の微調整を行えば良い。
【００２２】
上述のような望遠レンズ５のセッティングを行った後に、三脚２の雲台２ａを調節レバー２ｄにより操作してカメラ３および望遠レンズ５の取付姿勢を、図２に示す水平状態から図５に示すように上向きにセットする場合は、先ず三脚２の前脚２ｂ、２ｂにそれぞれ固定していた緊締具９、９を撮具２５、２５の回動操作で弛緩し、この弛緩状態のままで調節レバー２ｄを操作して、雲台２ａを上方に傾動させると、これに連動して連結支持杆８、８が三脚２の前脚２ｂ、２ｂに沿って上昇移動するので、所望の位置で撮具２５、２５を回動操作して固定分割筒片１８ａと可動分割筒片１８ｂを緊締すれば、その位置でカメラ３および望遠レンズ５が固定されることになる。
【００２３】
また、図６に示すように、カメラ３および望遠レンズ５を下向きにセットしたい時は、緊締具９、９を弛緩した後に雲台２ａを下向きに操作すると、これに連動して連結支持杆８、８が前脚２ｂ、２ｂに沿って下降移動する緊締具９、９を介して下動するので、所望の位置で緊締具９、９を緊締すればよい。
【００２４】
したがって、雲台２ａの動きに追従して変姿するカメラ３および望遠レンズ５の取付姿勢に対応して、該カメラ３および望遠レンズ５を固定する基盤１と、三脚２とは連結支持杆８、８および緊締具９、９を介して三点支持構造により一体的に固定されるので、開脚した三脚２も安定状態に保持でき、望遠撮影するにあたってレリーズを使用してシャッターを切った際、超望遠撮影に経験がない者でも、また経験が浅く不馴れな者でも、全くブレのない綺麗な画像を得ることができ、超望遠撮影の醍醐味を充分に満足することができる。
【００２５】
加えて、カメラ３の固定支持台４は係止ピン１２と回動係止杆１３の凹部１３ａとの係合を解除することにより、雲台２上に固定した基盤１に対して水平固定姿勢Ａから垂直回動姿勢Ｂに変姿できるので、カメラ３の撮影姿勢を水平、上向きおよび下向きに設定したままの状態で、垂直回動姿勢Ｂに変姿させることにより三脚２に対する全体の重量バランスを崩すことなく、種々異なるカメラや望遠レンズの交換作業を容易に行うことができ、レンズ交換の度に撮影姿勢の再調節を行うような煩わしい作業も不要にして、レンズ交換後は再び同じ撮影姿勢で望遠撮影を続けることが可能になる。
【実施例２】
【００２６】
実施例２では、前記実施例１と同様に、三脚のうち二脚を前脚とし、かつ当該構成の一部を改良して、より一層画角調整などフレーミングの操作を容易にすると共に、ブレ止め効果もより一層確実なものにした点に特徴を有するものである。
【００２７】
具体的には、実施例１の管状または杆状部材からなる連結支持杆８について、実施例２では図７および図８に示すように、オイルダンパー、ガススプリングなどのショックアブソーバ（本実施例ではオイルダンパー）８ａで構成すると共に、該オイルダンパー８ａには、雲台２ａの動きに追従して変姿した際、その位置を固定する緊締具８ａ´が設けられている。
【００２８】
また実施例１の望遠レンズ筒状部５ａのＶ字状支承受座２３について、実施例２では水平状支持軸２３ａに筒体２３ｂを嵌着し、これを左右支持腕２１、２１間に跨設して水平支承受座２６を構成した。
【００２９】
更に実施例２では、上記水平状支持軸２３ａの一端側に、基端部を枢着して通常は支持腕２１の上縁に収納され、カメラ３を水平姿勢から横向き姿勢に変姿させた際、前方に９０度回動させて望遠レンズ５の筒状部５ａを下方から支承する杆状座枕２７が追加構成されている。
【実施例３】
【００３０】
実施例３は、図９に示すように、三脚のうち一脚を前脚とし、二脚を後脚として開脚した撮影姿勢で、実施例１の基盤１の前壁中央部位から前脚にオイルダンパーで構成された連結支持杆８ａを吊架し、その余の改良構成である水平状支承受座２６と追加構成である杆状座枕２７は実施例２と全く同一である。
【実施例４】
【００３１】
実施例４は、三脚のうち二脚を側方前後に開脚し、かつ前記実施例１の構成の一部を改良すると共に、実施例２に追加した構成と同一の構成を追加した点に特徴を有するものである。
【００３２】
具体的には、図１０に示すように、三脚のうち二脚を側方に張り出して前後に開脚し、一脚を他側方に張り出した撮影姿勢で、実施例１の基盤１の前後壁中央部位から上記前後脚にオイルダンパーで構成された連結支持杆８ａを吊架した。
【００３３】
次に実施例１の基盤１に対して水平固定姿勢と垂直固定姿勢に変姿可能に構成したカメラ固定支持台４について、実施例４では、これを基盤１に対して水平状に固定すると共に、上記基盤１の後部側に位置して、その長手方向に摺動自在で、傾斜角度固定調節自在なカメラ本体載置固定部２８を構成した。すなわち、上記カメラ本体載置固定部２８は、基盤１後部側左右側壁に設けた凹状の長溝１７ａ、１７ａに沿ってレール１８ａ、１８ａを対向内面に一体形成して長手方向摺動可能にした一対の移動ブロック１９ａ、１９ａに、長手方向に沿って長溝２０ａ、２０ａを穿設した一対の支持腕２１ａ、２１ａを、それぞれ各移動ブロック１９ａ、１９ａの外側面に位置して当該移動ブロック１９ａ、１９ａ間を貫通するノブ付き連結ボルト２２ａにより緊締し、かつ各支持腕２１ａ、２１ａの上端部対向間に水平支持軸２３ａに筒体２３ｂを嵌着してカメラ本体を載置する水平支承受座２６ａを跨設して構成されている。
【００３４】
更に実施例４には、前記実施例２〜３と同様に、支持腕２１、２１の上端部に望遠レンズ５の筒状部５ａを下方から支承する水平支承受２６（図示省略）と、望遠レンズを横向きに変姿させた際、これを下方から支承する杆状座枕２７（図示省略）が追加構成されている。
【００３５】
叙上のように、実施例２〜４は、実施例１に比し、連結支持杆８をオイルダンパー８ａで構成すると共に、望遠レンズ筒状部５ａを下方から支承する受座を水平支承受座２６と杆状座枕２７で構成したので、画角調整などフレーミングの操作がより一層容易にできる上、ブレ止めもより一層確実なものとすることができるに至った。
【００３６】
すなわち、実施例１ではカメラ３および望遠レンズ５の取付姿勢を変姿させて、画角調整を行う場合には、基盤１と三脚とを連結した支持杆８が伸縮しない管状または杆状部材で構成されているので、その都度緊締具９を弛緩しなければ、雲台２ａの可動操作ができないばかりでなく、雲台２ａの可動過程で、三脚２に沿って摺接移動する緊締具９により発生する摩擦などの振動でカメラブレを生ずる惧れがあった。
【００３７】
これに対して、実施例２〜４では連結支持杆８を伸縮自在なオイルダンパー８ａで構成したので、画角調整時に緊締具９を弛緩する必要が全くなく、そのままの状態で雲台２ａの可動ができると共に、雲台２ａの可動過程で生ずる惧れのあるカメラブレも、オイルダンパー８ａのストロークに吸収されてブレ止めができる。
【００３８】
また、実施例１の望遠レンズ筒状部５ａの支承受座はＶ字状支承受座２３に形成されているので、望遠レンズ筒状部５ａの軸径がＶ字状の開角度より大径の場合には、カメラを水平姿勢に載置した場合、支承状態が不安定になる上、水平姿勢から横向き姿勢に変姿させた場合には支承ができないため、ブレ防止が不十分であった。これに対し、実施例２〜４では、望遠レンズ筒状部５ａの支承受座を水平支承受座２６に形成したので、望遠レンズ筒状部５ａの軸径が大小に関わりなく、水平姿勢を安定した状態で支承できると共に、カメラを横向きに変姿させた場合でも、杆状座枕２７で支承できるため、画角調整もブレのない状態で行うことができる。
【産業上の利用可能性】
【００３９】
本発明のカメラブレ防止装置は、測量機械に利用できる。
である。
【図面の簡単な説明】
【００４０】
【図１】三脚のうち二脚を前脚としてカメラブレ防止装置を三脚に装備した状態を示す全体斜視図である。
【図２】接合したカメラと望遠レンズを三脚に水平に固定した状態を示す一部省略要部側面図である。
【図３】固定支持台をこれに固定したカメラとともに垂直回動姿勢に変姿させた状態を示す一部省略要部側面図である。
【図４】（ａ）は支持腕の前後方向揺動位置および傾斜角度位置の変更状態を点線で示す作用説明図である。  （ｂ）は移動ブロックの前後方向の移動調節を実線および点線で示す作用説明図である。
【図５】カメラを上向きの撮影姿勢に保持した状態を示す一部省略要部側面図である。
【図６】カメラを下向きの撮影姿勢に保持した状態を示す一部省略要部側面図である。
【図７】三脚のうち二脚を前脚とした実施例２の全体斜視図である。
【図８】三脚のうち二脚を前脚とした実施例２の全体側面図である。
【図９】三脚のうち一脚を前脚とした実施例３の全体斜視図である。
【図１０】三脚のうち二脚を側方前後に開脚した実施例４の要部側面図である。
【符号の説明】
【００４１】
１      基盤
２      三脚
２ａ    雲台
２ｂ    前脚
４      カメラの固定支持台
５      望遠レンズ
５ａ    筒状部
６      望遠レンズの載置固定部
８      連結支持杆
８ａ    連結支持杆
１０    カメラブレ防止装置
１７    長溝
１７ａ  長溝
１８    レール
１８ａ  レール
１９    移動ブロック
１９ａ  移動ブロック
２０    長溝
２０ａ  長溝
２１    支持腕
２１ａ  支持腕
２２    ノブ付き連結ボルト
２２ａ  ノブ付き連結ボルト
２３    Ｖ字状支承受座
２３ａ  水平状支持軸
２６    水平支承受座
２６ａ  水平支承受座
２７    杆状座枕
２８    カメラ本体載置固定部
【図１】
2004258633.tif 000003
【図２】
2004258633.tif 000004
【図３】
2004258633.tif 000005
【図４】
2004258633.tif 000006
【図５】
2004258633.tif 000007
【図６】
2004258633.tif 000008
【図７】
2004258633.tif 000009
【図８】
2004258633.tif 000010
【図９】
2004258633.tif 000011
【図１０】
2004258633.tif 000012